(57)【要約】    【課題】  諸収差を良好に補正した広画角で高い光学性能を有するズームレンズを得ること。    【解決手段】  物体側から像側へ順に、負の屈折力の第１レンズ群、負の屈折力の第２レンズ群、絞り、正の屈折力の第３レンズ群、正の屈折力の第３レンズ群を有し、ズーミングに際して、該第１レンズ群と該第２レンズ群との間隔が変化し、広角端に比べて望遠端での第２レンズ群と第３レンズ群との間隔が小さく、第３レンズ群と第４レンズ群との間隔が大きくなるように、レンズ群が移動するズームレンズであって、ズーミングに際して、該絞りと該第３レンズ群との間隔が変化すること。【選択図】  図１
2007286233.tif 000002
【特許請求の範囲】
【請求項１】
物体側から像側へ順に、負の屈折力の第１レンズ群、負の屈折力の第２レンズ群、絞り、正の屈折力の第３レンズ群、正の屈折力の第４レンズ群を有し、ズーミングに際して、該第１レンズ群と該第２レンズ群との間隔が変化し、広角端に比べて望遠端での該第２レンズ群と該第３レンズ群との間隔が小さく、該第３レンズ群と該第４レンズ群との間隔が大きくなるように、レンズ群が移動するズームレンズであって、ズーミングに際して、該絞りと該第３レンズ群との間隔が変化することを特徴とするズームレンズ。
【請求項２】
前記第１レンズ群はズーミングのためには不動であることを特徴とする請求項１のズームレンズ。
【請求項３】
前記第４レンズ群はズーミングのためには不動であることを特徴とする請求項１又は２のズームレンズ。
【請求項４】
前記絞りはズーミングに際して、いずれのレンズ群とも独立に移動することを特徴とする請求項１，２又は３のズームレンズ。
【請求項５】
前記絞りは、ズーミングに際して不動であることを特徴とする請求項１，２又は３のズームレンズ。
【請求項６】
前記第２レンズ群と第３レンズ群の焦点距離を各々ｆ２、ｆ３とするとき、
０．５＜｜ｆ２｜／ｆ３＜１．５
なる条件を満足することを特徴とする請求項１から５のいずれか１項のズームレンズ。
【請求項７】
前記第１レンズ群と第２レンズ群の焦点距離を各々ｆ１、ｆ２とするとき、
４＜ｆ１／ｆ２＜５０
なる条件を満足することを特徴とする請求項１から６のいずれか１項のズームレンズ。
【請求項８】
前記第１レンズ群と第４レンズ群の焦点距離を各々ｆ１、ｆ４とするとき、
０．８＜｜ｆ１｜／ｆ４＜２０
なる条件を満足することを特徴とする請求項１から７のいずれか１項のズームレンズ。
【請求項９】
前記第１レンズ群は、単一の負レンズ又は、正レンズと負レンズとの接合レンズより成り、前記第２レンズ群は、物体側から像側へ順に、像側が凹面の２つの負レンズ、物体側が凸面の正レンズの３枚のレンズ又は、物体側から像側へ順に、像側が凹面の負レンズと物体側が凸面の正レンズの２枚のレンズより成り、前記第３レンズ群は物体側より像側へ順に、正レンズ、負レンズ、正レンズの３枚のレンズより成り、前記第４レンズ群は正レンズと負レンズとの接合レンズより成ることを特徴とする請求項１から８のいずれか１項のズームレンズ。
【請求項１０】
固体撮像素子上に像を形成することを特徴とする請求項１から９のいずれか１項のズームレンズ。
【請求項１１】
請求項１から１０のいずれか１項のズームレンズと、該ズームレンズによって形成された像を受光する固体撮像素子を有していることを特徴とする撮像装置。
【発明の詳細な説明】
【技術分野】
【０００１】
本発明はスチルカメラ、ビデオカメラ、デジタルスチルカメラそして監視用カメラ等に好適なズームレンズ及びそれを有する撮像装置に関するものである。
【背景技術】
【０００２】
最近、固体撮像素子を用いたビデオカメラ、デジタルスチルカメラそして監視用カメラ等の撮像装置（カメラ）には、高機能であること、そしてカメラ全体が小型であることが要望されている。そしてそれに伴い、これらのカメラに用いる光学系（撮像光学系）には、小型で広画角で、しかも高い光学性能を有するズームレンズであることが求められている。
【０００３】
小型で広画角のズームレンズとして、最も物体側に負の屈折力のレンズ群を配置した、全体として複数のレンズ群より成るネガティブリード型のズームレンズが知られている。
【０００４】
ネガティブリード型のズームレンズとして、物体側から像側へ順に、負、負、正の屈折力の第１〜第３レンズ群から成る３群ズームレンズが知られている。このうち第１レンズ群をズーミングの際に固定とし、第１レンズ群にフォーカシングの機能を持たせたズームレンズが知られている（特許文献１）。
【０００５】
又、第１レンズ群を、物体側に凸面を向けたメニスカス状の正レンズを含む２枚のレンズで構成したズームレンズが知られている（特許文献２）。
【０００６】
又、ネガティブリード型のズームレンズとして、物体側から像側へ順に負、負、正、正の屈折力の第１〜第４レンズ群を有し、第１〜第３レンズ群が移動してズーミングを行う４群ズームレンズが知られている（特許文献３）。
【特許文献１】特開平５−１３４１８１号公報
【特許文献２】特開平６−２３０２８１号公報
【特許文献３】特開２００１−３４３５８８号公報
【発明の開示】
【発明が解決しようとする課題】
【０００７】
負の屈折力のレンズ群が先行するネガティブリード型のズームレンズのうち、前述した４群ズームレンズは３群ズームレンズに比べて小型化及び広画角化が比較的容易であるという特徴を有している。
【０００８】
しかしながら、反面、レンズ系全体が非対称となるため、広角側において歪曲が多く発生しやすい。
【０００９】
また、広角側では周辺光量を確保しにくいなど、十分な周辺光量を確保するのが難しいという課題がある。
【００１０】
本発明は、諸収差を良好に補正した広画角で高い光学性能を有するズームレンズ及びそれを有する撮像装置の提供を目的とする。
【課題を解決するための手段】
【００１１】
本発明のズームレンズは、物体側から像側へ順に、負の屈折力の第１レンズ群、負の屈折力の第２レンズ群、絞り、正の屈折力の第３レンズ群、正の屈折力の第３レンズ群を有し、ズーミングに際して、該第１レンズ群と該第２レンズ群との間隔が変化し、広角端に比べて望遠端での第２レンズ群と第３レンズ群との間隔が小さく、第３レンズ群と第４レンズ群との間隔が大きくなるように、レンズ群が移動するズームレンズであって、ズーミングに際して、該絞りと該第３レンズ群との間隔が変化することを特徴としている。
【発明の効果】
【００１２】
本発明によれば、諸収差を良好に補正した広画角で高い光学性能を有するズームレンズが得られる。
【発明を実施するための最良の形態】
【００１３】
以下、本発明のズームレンズ及びそれを有する撮像装置の実施例について説明する。
【００１４】
図１は本発明の実施例１のズームレンズの広角端（短焦点距離端）におけるレンズ断面図、図２（Ａ）、（Ｂ）、（Ｃ）はそれぞれ実施例１のズームレンズの広角端、中間のズーム位置、望遠端（長焦点距離端）における収差図である。
【００１５】
図３は本発明の実施例２のズームレンズの広角端におけるレンズ断面図、図４（Ａ）、（Ｂ）、（Ｃ）はそれぞれ実施例２のズームレンズの広角端、中間のズーム位置、望遠端における収差図である。
【００１６】
図５は本発明の実施例３のズームレンズの広角端におけるレンズ断面図、図６（Ａ）、（Ｂ）、（Ｃ）はそれぞれ実施例３のズームレンズの広角端、中間のズーム位置、望遠端における収差図である。
【００１７】
図７は本発明の実施例４のズームレンズの広角端におけるレンズ断面図、図８（Ａ）、（Ｂ）、（Ｃ）はそれぞれ実施例４のズームレンズの広角端、中間のズーム位置、望遠端における収差図である。
【００１８】
図９は本発明の実施例５のズームレンズの広角端におけるレンズ断面図、図１０（Ａ）、（Ｂ）、（Ｃ）はそれぞれ実施例５のズームレンズの広角端、中間のズーム位置、望遠端における収差図である。
【００１９】
図１１は、本発明の撮像装置の要部概略図である。
【００２０】
各実施例のズームレンズは、デジタルカメラ・ビデオカメラ・銀塩フィルム用カメラ・監視用カメラ等の撮像装置や、望遠鏡、双眼鏡の観察装置、複写機、プロジェクター等の光学機器に用いられるものである。
【００２１】
図１、図３、図５、図７、図９に示したレンズ断面図において、左方が前方（物体側、拡大側）で、右方が後方（像側、縮小側）である。
【００２２】
ｉを物体側から数えたときの順序を示し、Ｌｉは第ｉレンズ群である。
【００２３】
レンズ断面図において、Ｌ１は負の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。
【００２４】
ＳＰは開口絞りであり、第３レンズ群Ｌ３の物体側に配置している。
【００２５】
Ｇは光学フィルター、フェースプレート、水晶ローパスフィルター、赤外カットフィルター等に相当する光学ブロックである。
【００２６】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００２７】
収差図において、ｄ、ｇは各々ｄ線及びｇ線である。ΔＭ、ΔＳはｄ線のメリディオナル像面、ｄ線のサジタル像面、ΔＭｇ、ΔＳｇはｇ線のメリディオナル像面、ｇ線のサジタル像面である。
【００２８】
倍率色収差はｇ線によって表している。ωは半画角、ＦｎｏはＦナンバーである。
【００２９】
尚、以下の各実施例において広角端と望遠端は変倍用レンズ群が機構上光軸上を移動可能な範囲の両端に位置したときのズーム位置をいう。
【００３０】
各実施例において広角端と望遠端へのズーミングに際して矢印のように各レンズ群が移動している。
【００３１】
図１、図３、図５の実施例１〜３では広角端から望遠端へのズーミングに際して矢印のように第３レンズ群Ｌ３は物体側へ単調に移動している。
【００３２】
又、第２レンズ群Ｌ２は像側へ凸状の軌跡で移動して変倍を伴う像面変動を補正している。
【００３３】
第１、第４レンズ群Ｌ１、Ｌ４は、ズーミングのためには不動である。
【００３４】
開口絞りＳＰは固定である。合焦（フォーカス調整）を行う際には第２レンズ群を移動させている。しかしながらこの限りでは無く、第３レンズ群や第４レンズ群を移動させて合焦を行っても良い。
【００３５】
つまり、第２レンズ群と絞りとの間隔も絞りと第３レンズ群との間隔も、変倍に伴って変化している。
【００３６】
図７の実施例４では、広角端から望遠端のズーム位置へのズーミングに際して矢印のように第２レンズ群Ｌ２は像側に凸状の軌跡で移動している。第３レンズ群Ｌ３は物体側に単調に移動している。第４レンズ群Ｌ４は、物体側に凸状の軌跡で移動している。開口絞りＳＰは、独立に物体側へ移動している。第１レンズ群Ｌ１は、ズーミングのためには不動である。
【００３７】
ここで、合焦（フォーカス調整）を行う際には第２レンズ群を移動させている。しかしながらこの限りでは無く、第３レンズ群や第４レンズ群を移動させて合焦を行っても良い。
【００３８】
また、ここでは上記のような構成とし、第２レンズ群と絞りとの間隔も絞りと第３レンズ群との間隔も変倍に伴って変化させている。
【００３９】
図９の実施例５では、広角端から望遠端へのズーミングに際して、第２レンズ群Ｌ２は像側に凸状の軌跡の一部に沿って移動している。
【００４０】
第３レンズ群Ｌ３は物体側へ単調に移動している。
【００４１】
開口絞りＳＰは、独立に物体側へ移動している。第１、第４レンズ群Ｌ１、Ｌ４は、ズーミングのためには不動である。
【００４２】
ここで、合焦（フォーカス調整）を行う際には第２レンズ群を移動させている。しかしながらこの限りでは無く、第３レンズ群や第４レンズ群を移動させて合焦を行っても良い。
【００４３】
また、ここでは上記のような構成とし、第２レンズ群と絞りとの間隔も絞りと第３レンズ群との間隔も変倍に伴って変化させている。
【００４４】
一眼レフカメラ用の広角のズームレンズとしては、負の屈折力の第１レンズ群と正の屈折力の第２レンズ群からなり、それらのレンズ群の相対的間隔を変化させてズーミングを行う２群ズームレンズが一般的である。
【００４５】
この２群ズームレンズにおいて、レンズ系全体をコンパクトにして、所定の長さのバックフォーカスを確保しつつ、レンズ全長を短縮するためには、各レンズ群の屈折力を強くする必要がある。
【００４６】
しかしながら各レンズ群の屈折力を強くすると、入射光線高の高い軸外光線に関する収差の発生が顕著になる。
【００４７】
例えば、  ネガティブリード型の４群ズームレンズにおいて、レンズ系全体の小型化と広画角化を図り、かつ良好なる光学性能を得るには、絞りと各レンズ群との関係及び各レンズ群の屈折力配置やレンズ形状等を適切に設定する必要がある。
【００４８】
特に、ズーミングにおける各レンズ群の移動や各レンズ群のレンズ構成、そして絞りと各レンズ群との関係等が不適切であると全系を小型にしつつ、広画角で高い光学性能を得るのが難しくなってくる。
【００４９】
そこで各実施例のズームレンズでは、画角を広く、長いバックフォーカスを確保したときでも、諸収差を良好に補正できるように構成している。
【００５０】
まず物体側から像側へ順に負、負、正、正の屈折力の第１〜第４レンズ群Ｌ１〜Ｌ４を有する構成としている。
【００５１】
このように第１レンズ群Ｌ１と第２レンズ群Ｌ２を負の屈折力とし、それらよりも像側の第３レンズ群Ｌ３と第４レンズ群Ｌ４を正の屈折力と構成することで、レトロフォーカスタイプを容易に構成している。
【００５２】
また後述する条件式（２）に示すように、第１レンズ群Ｌ１の負の屈折力を第２レンズ群Ｌ２と比較して強くすることで、ズーミングの際に生じる球面収差の変動を小さくしている。
【００５３】
第１レンズ群Ｌ１の負の屈折力を第２レンズ群Ｌ２と比較して強くすることは、広角端において歪曲収差の補正には不利だが、例えば電気的な手段などの代替手段により、十分に補正することができる。
【００５４】
各実施例では、広角端から望遠端のズーミングに際し、第３レンズ群Ｌ３が像側から物体側へ単調に移動し、第２レンズ群Ｌ２は変倍に伴う像面位置の変動を抑えるように移動している。そして第４レンズ群Ｌ４は主として像面からの射出瞳を遠ざけて、レンズ系全体がいわゆるテレセントリック系に近づけるようにしている。テレセントリック系に近づけることにより、固体撮像素子の前面に設けられたマイクロレンズの集光性能を十分に高めることができ、画像中央部と画像周辺部の光量比が極端にアンバランスにならないようにしている。
【００５５】
実施例１〜３、５では、ズーミングの際に結像面（像面）に対して第４レンズ群Ｌ４を固定することにより、ズーミング駆動機構を固体撮像素子に結合された電子回路から離して配置することができるようにしている。最も像側の第４レンズ群Ｌ４を固定することで、ズーミングやフォーカシングの為の駆動機構から生じるゴミ等が固体撮像素子へ直接付着するのを防止している。
【００５６】
また、実施例１〜３の如くズーミングの際に結像面に対して開口絞りＳＰを固定した構成では、開口絞りＳＰをズーミングの際に移動させるアクチュエータが不要となり、構成が簡単になる。
【００５７】
また、絞りＳＰを第３レンズ群Ｌ３と一体で移動させる場合と比較すると、第３レンズ群Ｌ３（可動群）が小型になる。
【００５８】
各実施例では、ズーミングの際に結像面に対して第１レンズ群Ｌ１を固定することにより、高い位置精度を必要とする第２レンズ群Ｌ２を外部から保護する筒状（レンズ鏡筒）の構成としている。
【００５９】
また、可動レンズ群を減らすことができ、機構部品の簡素化を図っている。機構部品の簡素化はゴミ等の発生を低減することができ、高い光学性能を維持したズームレンズを得ている。
【００６０】
各実施例では、第１レンズ群Ｌ１は、単一の負レンズ又は、正レンズと負レンズとの接合レンズより成っている。
【００６１】
第２レンズ群Ｌ２は、物体側から像側へ順に、像側が凹面の２つの負レンズ、物体側が凸面の正レンズの３枚のレンズより又は、物体側から像側へ順に、像側が凹面の負レンズと物体側が凸面の正レンズの２枚のレンズより成っている。
【００６２】
第３レンズ群Ｌ３は物体側より像側へ順に正レンズ、負レンズ、正レンズの３枚のレンズより成っている。
【００６３】
第４レンズ群Ｌ４は正レンズと負レンズとの接合レンズより成っている。
【００６４】
各実施例では、次の条件のうち１以上を満足するようにしている。これによって各条件式に対応した効果を得ている。
【００６５】
ｉを物体側からの順番とし、第ｉレンズ群Ｌｉの焦点距離をｆｉとする。このとき
０．５＜｜ｆ２｜／ｆ３＜１．５・・・・（１）
４＜ｆ１／ｆ２＜５０・・・（２）
０．８＜｜ｆ１｜／ｆ４＜２０・・・（３）
なる条件のうち１以上を満足するようにしている。
【００６６】
次に、各条件式の技術的意味について説明する。
【００６７】
条件式（１）の下限値を下回ると第３レンズ群Ｌ３の焦点距離が長くなり、レンズ系が大型化してくる。このとき、第３レンズ群Ｌ３の屈折力を第４レンズ群Ｌ４で負担し、レンズ系全体の小型化を実現しようとすると、コマ収差が多く発生してくる。
【００６８】
又、上限値を上回ると第２レンズ群Ｌ２の焦点距離が長く、第３レンズ群Ｌ３の焦点距離が短くなり、変倍の際に像面位置の変動が大きくなるので良くない。
【００６９】
条件式（２）は第１レンズ群Ｌ１と第２レンズ群Ｌ２の屈折力を適切に配分するための条件式である。
【００７０】
条件式（２）の下限値を下回ると、第１レンズ群Ｌ１と第２レンズ群Ｌ２の負の合成屈折力が弱くなり、合成の焦点距離が長くなりすぎて、レンズ外形が大きくなってくる。
【００７１】
また、条件式（２）の上限値を上回ると、諸収差をバランス良く保つことが難しくなる。
【００７２】
特に、第１レンズ群Ｌ１の屈折力が大きくなり、ズーミングの際に生じる球面収差の変動を抑えるのが難しくなってくる。
【００７３】
条件式（３）は第１レンズ群Ｌ１と第４レンズ群Ｌ４の屈折力を適切に配分するための条件式である。
【００７４】
条件式（３）の下限値を下回ると第１レンズ群Ｌ１の焦点距離が短くなり、広角端において歪曲が大きくなる。このためデジタルカメラに用いたとき電子補正などを施しても、不自然な画像となってしまう。条件式（３）の下限値は、この電子補正などをした場合においても、十分に良好な画像が得られるためのものである。条件式（３）の上限値を上回ると、第４レンズ群Ｌ４の焦点距離が短くなり、像面湾曲が増大してくるので好ましくない。
【００７５】
尚、更に好ましくは、条件式（１）〜（３）の数値範囲を次の如く設定するのが良い。
【００７６】
０．８＜｜ｆ２｜／ｆ３＜１．４５・・・（１ａ）
４．２＜ｆ１／ｆ２＜４５．０・・・（２ａ）
０．９＜｜ｆ１｜／ｆ４＜１９．０・・・（３ａ）
次に本発明の数値実施例を示す。数値実施例においてｉは物体側からの順番を示し、Ｒｉは物体側より順にｉ番目の面の曲率半径、Ｄｉは物体側より順にｉ番目のレンズ厚および空気間隔、Ｎｉとνｉはそれぞれ物体側より順にｉ番目の材料のｄ線での屈折率とアッベ数である。
【００７７】
非球面形状は光軸方向にＸ軸、光軸と垂直方向にＨ軸、光の進行方向を正とし、Ｒを近軸曲率半径、ｋを離心率、Ｂ、Ｃ、Ｄ、Ｅを各々非球面係数としたとき、
【００７８】
【数１】
2007286233.tif 000003
【００７９】
なる条件式で表している。
【００８０】
また例えば「ｅ−Ｚ」の表示は「１０−Ｚ」を意味する。ｆは焦点距離、ＦｎｏはＦナンバー、ωは半画角を示す。
【００８１】
前述の各条件式と数値実施例における諸収差との関係を表１に示す。
数値実施例１
ｆ = 3.19〜5.54〜7.12  Ｆｎｏ = 2.2〜2.9〜3.7  ２ω = 70.4°〜45.2°〜35.1°
R 1 =    51.878      D 1 =  2.00      N 1 = 1.65844      ν 1 = 50.9
R 2 =        ∞      D 2 =  1.40      N 2 = 1.48749      ν 2 = 70.2
R 3 =    31.176      D 3 =  可変
R 4 =    18.957      D 4 =  0.90      N 3 = 1.48749      ν 3 = 70.2
R 5 =     5.381      D 5 =  2.38
R 6 =  -107.116      D 6 =  0.80      N 4 = 1.69680      ν 4 = 55.5
R 7 =     9.333      D 7 =  1.41
R 8 =     7.695      D 8 =  1.10      N 5 = 1.84666      ν 5 = 23.9
R 9 =    11.279      D 9 =  可変
R10 =      絞り      D10 =  可変
*R11=     4.661      D11 =  2.00      N 6 = 1.80610      ν 6 = 40.7
R12 =  -219.325      D12 =  0.80      N 7 = 1.84666      ν 7 = 23.8
R13 =     4.469      D13 =  0.70
R14 =    16.348      D14 =  1.80      N 8 = 1.77250      ν 8 = 49.6
R15 =   -10.230      D15 =  可変
R16 =    16.971      D16 =  1.80      N 9 = 1.51633      ν 9 = 64.1
R17 =   -12.138      D17 =  0.80      N10 = 1.84666      ν 9 = 23.9
R18 =   -19.896      D18 =  1.48
R19 =        ∞      D19 =  2.00      N11 = 1.51633      ν11 = 64.1
R24 =        ∞
＼焦点距離   3.19    5.54     7.12
可変間隔＼
D 3           1.50    6.38     6.59
D 9           7.75    2.93     2.66
D10           5.84    2.76     0.71
D15           1.20    4.28     6.34
非球面係数
R11 ｋ= 2.71709e-01 Ｂ=-1.17808e-03 Ｃ=-3.38618e-05 Ｄ= 1.75326e-07
Ｅ=-2.10401e-07
数値実施例２
ｆ = 3.09〜5.41〜7.01  Ｆｎｏ = 2.2〜2.9〜3.6  ２ω = 72.1°〜45.2°〜35.6°
R 1 =        ∞      D 1 =  1.00      N 1 = 1.51633      ν 1 = 64.1
R 2 =   103.266      D 2 =  可変
R 3 =    44.294      D 3 =  1.00      N 2 = 1.48749      ν 2 = 70.2
R 4 =     7.020      D 4 =  4.14
R 5 =   -17.668      D 5 =  1.00      N 3 = 1.60311      ν 3 = 60.6
R 6 =    17.688      D 6 =  1.50      N 4 = 1.84666      ν 4 = 23.9
R 7 =   101.822      D 7 =  可変
R 8 =      絞り      D 8 =  可変
*R 9=     4.981      D 9 =  2.00      N 5 = 1.69350      ν 5 = 53.2
R10 =  -389.300      D10 =  0.80      N 6 = 1.69895      ν 6 = 30.1
R11 =     4.641      D11 =  0.70
R12 =    13.524      D12 =  1.80      N 7 = 1.77250      ν 7 = 49.6
R13 =   -18.660      D13 =  可変
R14 =    13.587      D14 =  1.80      N 8 = 1.83481      ν 8 = 42.7
R15 =   -31.076      D15 =  0.80      N 9 = 1.84666      ν 9 = 23.9
R16 =    23.257      D16 =  1.40
R17 =        ∞      D17 =  2.00      N10 = 1.51633      ν10 = 64.1
R18 =        ∞
＼焦点距離   3.09    5.41     7.01
可変間隔＼
D 3           3.00   10.65    11.43
D 7          14.10    6.45     5.67
D 8           7.01    3.40     0.99
D13           1.00    4.61     7.02
非球面係数
R 9 ｋ= 2.44771e-01 Ｂ=-2.49699e-04 Ｃ=-2.33244e-07 Ｄ= 6.46255e-07
Ｅ=-1.04203e-07
数値実施例３
ｆ = 3.13〜5.26〜7.13  Ｆｎｏ = 2.1〜2.7〜3.5  ２ω = 71.4°〜46.3°〜35.0°
R 1 =   125.000      D 1 =  1.20      N 1 = 1.48749      ν 1 = 70.2
R 2 =    32.373      D 2 =  可変
R 3 =        ∞      D 3 =  1.00      N 2 = 1.48749      ν 2 = 70.2
R 4 =     7.207      D 4 =  2.74
R 5 =  -179.539      D 5 =  1.00      N 3 = 1.48749      ν 3 = 70.2
R 6 =    10.494      D 6 =  2.37
R 7 =     9.291      D 7 =  1.60      N 4 = 1.76182      ν 4 = 26.5
R 8 =    12.367      D 8 =  可変
R 9 =      絞り      D 9 =  可変
*R10=     6.237      D10 =  2.50      N 5 = 1.69350      ν 5 = 53.2
R11 =        ∞      D11 =  0.80      N 6 = 1.69895      ν 6 = 30.1
R12 =     6.168      D12 =  0.47
R13 =    14.844      D13 =  2.40      N 7 = 1.60311      ν 7 = 60.6
R14 =   -10.241      D14 =  可変
R15 =    52.400      D15 =  2.00      N 8 = 1.69680      ν 8 = 55.5
R16 =    -8.600      D16 =  0.80      N 9 = 1.80518      ν 9 = 25.4
R17 =   -32.900      D17 =  1.40
R18 =        ∞      D18 =  2.00      N10 = 1.51633      ν10 = 64.1
R19 =        ∞
＼焦点距離   3.13    5.26     7.13
可変間隔＼
D 2           2.60   10.15    10.89
D 8          11.50    3.95     3.21
D 9           7.75    4.15     1.20
D14           2.40    6.00     8.95
非球面係数
R10 ｋ=-6.27256e-01 Ｂ=-1.46455e-04 Ｃ=-3.29397e-06 Ｄ=-6.85706e-08
数値実施例４
ｆ = 3.24〜5.87〜8.11  Ｆｎｏ = 2.7〜3.2〜3.5  ２ω = 69.6°〜41.9°〜31.0°
R 1 =   364.288      D 1 =  1.20      N 1 = 1.48749      ν 1 = 70.2
R 2 =    52.602      D 2 =  可変
R 3 =  -309.030      D 3 =  1.00      N 2 = 1.48749      ν 2 = 70.2
R 4 =     7.225      D 4 =  2.74
R 5 =  -184.566      D 5 =  1.00      N 3 = 1.51633      ν 3 = 64.1
R 6 =    10.454      D 6 =  2.37
R 7 =     9.512      D 7 =  1.60      N 4 = 1.76182      ν 4 = 26.5
R 8 =    12.067      D 8 =  可変
R 9 =      絞り      D 9 =  可変
*R10=     6.223      D10 =  2.50      N 5 = 1.69350      ν 5 = 53.2
R11 =   104.911      D11 =  0.80      N 6 = 1.69895      ν 6 = 30.1
R12 =     6.201      D12 =  0.47
R13 =    14.752      D13 =  2.40      N 7 = 1.63854      ν 7 = 55.4
R14 =   -10.285      D14 =  可変
R15 =    55.575      D15 =  2.00      N 8 = 1.57060      ν 8 = 61.5
R16 =    -8.615      D16 =  0.80      N 9 = 1.80518      ν 9 = 25.4
R17 =   -33.029      D17 =  可変
R18 =        ∞      D18 =  2.00      N10 = 1.51633      ν10 = 64.1
R19 =        ∞
＼焦点距離   3.24    5.87     8.11
可変間隔＼
D 2           2.60   10.84    11.44
D 8          18.50    6.05     2.01
D 9           0.75    1.27     1.70
D14           2.40    4.74     6.66
D17           2.40    3.75     4.84
非球面係数
R10 ｋ=-6.70474e-01 Ｂ=-1.36328e-04 Ｃ=-3.29396e-06 Ｄ=-6.85706e-08
数値実施例５
ｆ = 5.08〜8.07〜10.73  Ｆｎｏ= 2.4〜3.1〜3.7  ２ω = 47.8°〜31.2°〜23.7°
R 1 =    20.000      D 1 =  1.20      N 1 = 1.48749      ν 1 = 70.2
R 2 =    12.020      D 2 =  可変
R 3 =    24.047      D 3 =  1.00      N 2 = 1.69350      ν 2 = 53.2
*R 4=     5.215      D 4 =  2.37
R 5 =     6.834      D 5 =  1.60      N 3 = 1.84666      ν 3 = 23.8
R 6 =     8.551      D 6 =  可変
R 7 =      絞り      D 7 =  可変
*R 8=     5.473      D 8 =  2.50      N 4 = 1.69350      ν 4 = 53.2
R 9 =   162.507      D 9 =  0.80      N 5 = 1.69895      ν 5 = 30.1
R10 =     4.632      D10 =  0.53
R11 =     8.174      D11 =  2.40      N 6 = 1.69680      ν 6 = 55.5
R12 =   -23.431      D12 =  可変
R13 =    23.684      D13 =  2.00      N 7 = 1.48749      ν 7 = 70.2
R14 =   -21.027      D14 =  0.80      N 8 = 1.80518      ν 8 = 25.4
R15 =   -55.615      D15 =  1.40
R16 =        ∞      D16 =  2.00      N10 = 1.51633      ν10 = 64.1
R17 =        ∞
＼焦点距離   5.08    8.07    10.73
可変間隔＼
D 2           4.65    9.09     9.02
D 6          14.08    5.68     2.51
D 7           0.75    1.02     1.25
D12           2.40    6.09     9.10
非球面係数
R 4 ｋ=-4.314704e-01 Ｂ=-1.54363e-04 Ｃ=-2.95368e-07 Ｄ=-6.05464e-07
R 8 ｋ= 8.15864e-01 Ｂ=-1.04246e-03 Ｃ=-3.91678e-06 Ｄ=-4.82940e-06
2007286233.tif 000004
【００８２】
次に本発明のズームレンズを撮影光学系として用いたデジタルスチルカメラ（撮像装置）の実施例を図１１を用いて説明する。
【００８３】
図１１において、２０はカメラ本体、２１は本発明のズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は撮像素子２２によって光電変換された被写体像に対応する情報を記録するメモリである。２４は液晶ディスプレイパネル等によって構成され、固体撮像素子２２上に形成された被写体像を観察するためのファインダーである。
【００８４】
このように本発明のズームレンズをデジタルスチルカメラ等の撮像装置に適用することにより、小型で高い光学性能を有する撮像装置を実現している。
【図面の簡単な説明】
【００８５】
【図１】実施例１のレンズ断面図
【図２】実施例１の諸収差
【図３】実施例２のレンズ断面図
【図４】実施例２の諸収差
【図５】実施例３のレンズ断面図
【図６】実施例３の諸収差
【図７】実施例４のレンズ断面図
【図８】実施例４の諸収差
【図９】実施例５のレンズ断面図
【図１０】実施例５の諸収差
【図１１】本発明の撮像装置の要部概略図
【符号の説明】
【００８６】
Ｌ１    第１レンズ群
Ｌ２    第２レンズ群
Ｌ３    第３レンズ群
Ｌ４    第４レンズ群
ＳＰ    Ｆナンバー決定部材（開口絞り）
ＩＰ    像面
Ｇ      ガラスブロック
ｄ      ｄ線
ｇ      ｇ線
ΔＳ    ｄ線のサジタル像面
ΔＭ    ｄ線のメリディオナル像面
ΔＳｇ  ｇ線のサジタル像面
ΔＭｇ  ｇ線のメリディオナル像面
【図１】
2007286233.tif 000005
【図２】
2007286233.tif 000006
【図３】
2007286233.tif 000007
【図４】
2007286233.tif 000008
【図５】
2007286233.tif 000009
【図６】
2007286233.tif 000010
【図７】
2007286233.tif 000011
【図８】
2007286233.tif 000012
【図９】
2007286233.tif 000013
【図１０】
2007286233.tif 000014
【図１１】
2007286233.tif 000015